(57)【要約】【課題】照明ユニットの取り付け及び取り外しが容易（交換が用意）なスタンド型照明装置を提供する。【解決手段】スタンド型照明装置１は、床等に載せ置くスタンドユニット２と、スタンドユニット２に挿脱自在である照明ユニット３と、を備える。スタンドユニット２は、スタンド台部２１と、スタンド胴部２２と、スタンド胴部２２の内部かつ上方側に設ける給電受体２３と、を備える。照明ユニット３は、複数のＬＥＤ光源３２を搭載したプリント回路基板３１と、プリント回路基板３１の下方側端部から突出する導電性棒体３３と、を備える。【選択図】図１
0003204260.tif 000002
【実用新案登録請求の範囲】
【請求項１】
スタンド台部、筒状のスタンド胴部及び前記スタンド胴部の内部に設ける給電受体を備えるスタンドユニットと、
複数の光源を搭載したプリント回路基板及び前記プリント回路基板から突出する導電性棒体を備える照明ユニットと、
で構成され、
前記給電受体と前記導電性棒体とが挿脱自在であるスタンド型照明装置。
【請求項２】
前記導電性棒体の断面形状を円形とした請求項１のスタンド型照明装置。
【請求項３】
前記導電性棒体の形状を、前記プリント回路基板の根元側から先端側方向に向かっていったん縮径しその後に拡径するくびれ形状とした請求項１又は請求項２に記載のスタンド型照明装置。
【考案の詳細な説明】
【技術分野】
【０００１】
本願考案は、スタンド型照明装置に関するものである。
【背景技術】
【０００２】
従来から、ＬＥＤ光源を利用したスタンド型の発光設備は存在する（例えば、特許文献１及び特許文献２）。
【先行技術文献】
【特許文献】
【０００３】
【特許文献１】実用新案登録第３２０１４８９号
【特許文献２】特開２００５−１２９３００号公報
【考案の概要】
【考案が解決しようとする課題】
【０００４】
特許文献１の可搬式投光機は、外面にＬＥＤのプリント配線基板が取り付け固定され、前記プリント配線基板を包み込む状態に取り付けられたフードなどとで構成され、タッピングビスによって横方向から前記プリント配線基板を取り付け固定したスタンド型の発光設備である。
【０００５】
また、特許文献２の発光表示装置は、複数の発光部と、支柱と、支持体と、電子回路手段などとで構成され、前記電子回路手段によって回転発光を得る（機械的回転部分がない）スタンド型の発光設備である。
【０００６】
前述したように、特許文献１の可搬式投光機も、特許文献２の発光表示装置も、ＬＥＤ光源を固定したスタンド型の発光設備である。
【０００７】
しかしながら、ＬＥＤ光源を包含する部分（本願の照明ユニット）をスタンドに固定した場合には、前記ＬＥＤ光源を包含する部分の取り付け及び取り外しが容易に行えず、また、前記ＬＥＤ光源を包含する部分のみの交換も困難となる。
【０００８】
そこで、前記ＬＥＤ光源を包含する部分の取り付け及び取り外しを容易にし、前記ＬＥＤ光源を包含する部分のみの交換をも容易にするスタンド型照明装置を提供することを課題とした。
【課題を解決するための手段】
【０００９】
本願考案は、スタンド台部、筒状のスタンド胴部及び前記スタンド胴部の内部に設ける給電受体を備えるスタンドユニットと、複数の光源を搭載したプリント回路基板及び前記プリント回路基板から突出する導電性棒体を備える照明ユニットと、で構成され、前記給電受体と前記導電性棒体とが挿脱自在であるスタンド型照明装置を提供する。
【００１０】
また、本願考案は、スタンド台部、筒状のスタンド胴部及び前記スタンド胴部の内部に設ける給電受体を備えるスタンドユニットと、複数の光源を搭載したプリント回路基板及び前記プリント回路基板から突出する断面形状が円形の導電性棒体を備える照明ユニットと、で構成され、前記給電受体と前記導電性棒体とが挿脱自在であるスタンド型照明装置を提供する。
【００１１】
また、本願考案は、スタンド台部、筒状のスタンド胴部及び前記スタンド胴部の内部に設ける給電受体を備えるスタンドユニットと、複数の光源を搭載したプリント回路基板及び前記プリント回路基板から突出する断面形状が円形の導電性棒体を備える照明ユニットと、で構成され、前記導電性棒体の形状を、前記プリント回路基板の根元側から先端側方向に向かっていったん縮径しその後に拡径するくびれ形状とし、前記給電受体と前記導電性棒体とが挿脱自在であるスタンド型照明装置を提供する。
【考案の効果】
【００１２】
本願考案のスタンド型照明装置は、所定の給電受体を備えるスタンドユニットと、プリント回路基板から突出する導電性棒体を備える照明ユニットとを備え、給電受体と導電性棒体とが挿脱自在であるため、照明ユニットの取り付け及び取り外しを容易にし、前記照明ユニットのみの交換をも容易にする。
【００１３】
また、本願考案のスタンド型照明装置は、前記導電性棒体の断面形状を円形としたため、スタンドユニットに取り付け後の照明ユニットの回動を可能とし、表示方向を変更することも可能になる。
【００１４】
また、本願考案のスタンド型照明装置は、前記導電性棒体の形状を所定のくびれ形状としたため、スタンドユニットに取り付け後の照明ユニットが誤って抜けてしまうことを抑制できる。
【図面の簡単な説明】
【００１５】
【図１】図１は実施例１のスタンド照明装置の全体構成を示した外観図である。
【図２】図２はスタンド胴部の内部に設ける給電受体を示した拡大断面図である。
【図３】図３はスタンド胴部の内部に設ける給電受体を上方向からみた図である。
【図４】図４は導電性棒体の形状を示した拡大側面図である。
【図５】図５は実施例２のスタンド照明装置の全体構成を示した外観図である。
【図６】図６は実施例２の照明ユニットの拡大側面図である。
【考案を実施するための形態】
【００１６】
照明ユニットの取り付け及び取り外し並びに交換を容易にするスタンド型照明装置として実施する。
【実施例１】
【００１７】
まずは、スタンド型照明装置の構成について、図１から図５に従い説明する。
【００１８】
スタンド型照明装置（１）は、床等に載せ置くスタンドユニット（２）と、前記スタンドユニットの上方に接合される、正面視円形のプリント回路基板（３１）と、前記プリント回路基板上に搭載する複数の光源（３２）と、前記プリント回路基板の下方側の端部から前記スタンドユニット方向に突出する導電性棒体（３３）とを備える照明ユニット（３）と、で構成する（図１）。
【００１９】
前記スタンドユニット（２）は、底部に配置する平面視円形状のスタンド台部（２１）と、前記スタンド台部の中心に立設する円筒形状のスタンド胴部（２２）と、前記スタンド胴部の内部、かつ、上方箇所に固着した円筒形状（平面視ドーナツ形状）の給電受体（２３）とで構成する（図１から図３）。
【００２０】
前記スタンド胴部（２２）の形状について、内部に前記給電受体（２３）を固着できる程度のスペースを有すれば良いものとする。
【００２１】
前記給電受体（２３）とは、前記導電性棒体（３３）が挿入された際に電気的及び構造的に接合する機能を備えた構造体を指すものとする。
【００２２】
前記給電受体（２３）の内径について、前記導電性棒体（３３）が挿脱自在であれば良いものとする（図３）。
【００２３】
前記光源（３２）には、ＬＥＤを採用している。
【００２４】
前記複数の光源（３２）の配置・配列及び個数について、前記照明ユニット（３）として機能し得るものであればいかなる配置・配列及び個数であっても許容し得るものとする。
【００２５】
前記導電性棒体（３３）とは、前記給電受体（２３）に挿入した際に、前記プリント回路基板（３１）上に搭載した前記光源（３２）に導電可能な棒状の導電性体を指すものとする。
【００２６】
前記導電性棒体（３３）の断面形状について、円形状としている。これは、前記給電受体に挿入した際に、前記導電性棒体を軸心として回動可能にするためである。
【００２７】
前記導電性棒体（３３）の形状について、前記プリント回路基板側の根元側の太軸部（３３１）から先端側方向に向かっていったん縮径し、前記縮径した細軸部（３３２）から拡径して再び太軸部（３３３）となるくびれ形状としている（図４）。
【００２８】
次に、スタンドユニットに照明ユニットを取り付けるときの作動について図１から図４に従い説明する。
【００２９】
スタンド胴部（２３）の上方側から、照明ユニット（３）を構成する導電性棒体（３３）を給電受体（２３）に挿入する（図１から図４）。
【００３０】
前記照明ユニット（３）を回動させて、必要な方向を照射する。前述したように、前記導電性棒体（３３）の断面が円形状であり、かつ、前記給電受体（２３）が円筒形状（平面視ドーナツ形状）であるため、前記導電性棒体を軸心とした前記照明ユニットの回動を可能としている。
【実施例２】
【００３１】
実施例２のスタンド型照明装置は、照明ユニットの形状を変更した照明装置であり、その構成について、実施例１と異なる部分のみについて図５及び図６に従い説明する。
【００３２】
スタンド型照明装置（１）は、床等に載せ置くスタンドユニット（２）と、前記スタンドユニットの上方に接合される、平面視長方形のプリント回路基板（３１）と、前記プリント回路基板上に搭載する複数の光源（３２）と、前記プリント回路基板の表面側一方端部（図６で示す下面側の左端部）から前記スタンドユニット方向（前記給電受体（２３）方向）に突出する導電性棒体（３３）とを備える照明ユニット（３）と、で構成する（図５及び図６）。
【産業上の利用可能性】
【００３３】
本願考案のスタンド型照明装置は照明ユニットの取り付け及び取り外し並びに交換が容易なスタンド型照明装置であるから産業上の利用可能性を有する。
【符号の説明】
【００３４】
１      スタンド型照明装置
２      スタンドユニット
２１    スタンド台部
２２    スタンド胴部
２３    給電受体
３      照明ユニット
３１    プリント回路基板
３２    光源（ＬＥＤ光源）
３３    導電性棒体
３３１  太軸部
３３２  細軸部
３３３  太軸部
【図１】
0003204260.tif 000003
【図２】
0003204260.tif 000004
【図３】
0003204260.tif 000005
【図４】
0003204260.tif 000006
【図５】
0003204260.tif 000007
【図６】
0003204260.tif 000008